【手続補正書】
【提出日】平成19年12月5日(2007.12.5)
【手続補正１】
【補正対象書類名】明細書
【補正対象項目名】特許請求の範囲
【補正方法】変更
【補正の内容】
【特許請求の範囲】
【請求項１】  ネットワークを介して画像読取装置と通信する通信手段を備え、前記画像読取装置と共に使用される画像処理装置であって、
画像読取装置から送られてくる該画像読取装置の読取センサの周波数応答特性に関する特性データに基づいて、該画像読取装置から送られてくる画像を処理する際の処理方法を決定する決定手段と、
前記決定手段により決定された処理方法を前記特性データの送信元の画像読取装置に対応付けて登録する登録手段と、
画像読取装置から送られてくる画像を該画像読取装置に対応付けて前記登録手段により登録された処理方法に従って処理する処理手段と、
を備えることを特徴とする画像処理装置。
【請求項２】  前記特性データは、画像読取装置が前記ネットワークに接続されたときに該画像読取装置から送られてくることを特徴とする請求項１に記載の画像処理装置。
【請求項３】  前記特性データは、画像読取装置が前記ネットワークに接続されたときに前記ネットワーク上の全ての画像処理装置に対して送られることを特徴とする請求項１に記載の画像処理装置。
【請求項４】  前記特性データは、画像と共に画像読取装置から送られてくることを特徴とする請求項１に記載の画像処理装置。
【請求項５】  前記登録手段は、特定の画像読取装置から送られてくる特性データに基づいて前記決定手段により決定された処理方法を前記特定の画像読取装置に対応付けて登録し、
前記処理手段は、前記特定の画像読取装置から送られてくる画像については、前記特定の画像読取装置に対応付けて前記登録手段により登録されている処理方法に従って処理し、前記特定の画像読取装置以外の画像読取装置から送られてくる画像については、該画像に添付された特性データに基づいて前記決定手段により決定される処理方法に従って処理することを特徴とする請求項１に記載の画像処理装置。
【請求項６】  前記決定手段は、画像の処理方法として、該画像を処理する際に前記処理手段により利用されるフィルタを決定することを特徴とする請求項１乃至請求項５のいずれか１項に記載の画像処理装置。
【請求項７】  前記特性データは、特定の周波数における前記読取センサの特性に関するデータであり、
前記決定手段は、前記特性データに基づいて、予め登録された複数のフィルタの中からフィルタを選択することを特徴とする請求項６に記載の画像処理装置。
【請求項８】  前記処理手段により処理された画像を出力する出力手段を更に備えることを特徴とする請求項１乃至請求項７のいずれか１項に記載の画像処理装置。
【請求項９】  前記出力手段は、前記処理手段により処理された画像を画像形成装置に送信する手段を含むことを特徴とする請求項８に記載の画像処理装置。
【請求項１０】  前記出力手段は、画像形成装置を含むことを特徴とする請求項８に記載の画像処理装置。
【請求項１１】  画像読取装置と画像処理装置とをネットワークを介して接続した画像処理システムであって、
前記画像読取装置は、
画像を読み取る読取センサと、
前記読取センサの周波数応答特性に関する特性データを格納するメモリと、
前記メモリに格納されている特性データを前記画像処理装置に送信する第１の送信手段と、
前記読取センサによって読み取られた画像を前記画像処理装置に送信する第２の送信手段とを備え、
前記画像処理装置は、
前記画像読取装置から送られてくる前記画像読取装置の読取センサの周波数応答特性に関する特性データに基づいて、前記画像読取装置から送られてくる画像を処理する際の処理方法を決定する決定手段と、
前記決定手段により決定された処理方法を前記特性データの送信元の画像読取装置に対応付けて登録する登録手段と、
前記画像読取装置から送られてくる画像を前記画像読取装置に対応付けて前記登録手段により登録された処理方法に従って処理する処理手段とを備えることを特徴とする画像処理システム。
【請求項１２】  ネットワークを介して画像読取装置と通信する通信手段を備え、前記画像読取装置と共に使用される画像処理装置における画像処理方法であって、
画像読取装置から送られてくる該画像読取装置の読取センサの周波数応答特性に関する特性データに基づいて、該画像読取装置から送られてくる画像を処理する際の処理方法を決定する決定工程と、
前記決定工程で決定された処理方法を前記特性データの送信元の画像読取装置に対応付けて登録する登録工程と、
画像読取装置から送られてくる画像を該画像読取装置に対応付けて前記登録工程で登録された処理方法に従って処理する処理工程と、
を含むことを特徴とする画像処理方法。
【請求項１３】  ネットワークを介して画像読取装置と通信する通信手段を備え、前記画像読取装置と共に使用される画像処理装置を制御するソフトウェアを格納したコンピュータ読み取り可能なメモリ媒体であって、該ソフトウェアは、
画像読取装置から送られてくる該画像読取装置の読取センサの周波数応答特性に関する特性データに基づいて、該画像読取装置から送られてくる画像を処理する際の処理方法を決定する決定工程と、
前記決定工程で決定された処理方法を前記特性データの送信元の画像読取装置に対応付けて登録する登録工程と、
画像読取装置から送られてくる画像を該画像読取装置に対応付けて前記登録工程で登録された処理方法に従って処理する処理工程と、
を含むことを特徴とするコンピュータ読み取り可能なメモリ媒体。
【手続補正２】
【補正対象書類名】明細書
【補正対象項目名】０００９
【補正方法】変更
【補正の内容】
【０００９】
本発明の好適な実施の形態によれば、前記登録手段は、特定の画像読取装置から送られてくる特性データに基づいて前記決定手段により決定された処理方法を前記特定の画像読取装置に対応付けて登録し、前記処理手段は、前記特定の画像読取装置から送られてくる画像については、前記特定の画像読取装置に対応付けて前記登録手段により登録されている処理方法に従って処理し、前記特定の画像読取装置以外の画像読取装置から送られてくる画像については、該画像に添付された特性データに基づいて前記決定手段により決定される処理方法に従って処理することが好ましい。
【手続補正３】
【補正対象書類名】明細書
【補正対象項目名】００１１
【補正方法】変更
【補正の内容】
【００１１】
本発明の好適な実施の形態によれば、前記特性データは、特定の周波数における前記読取センサの特性に関するデータであり、前記決定手段は、前記特性データに基づいて、予め登録された複数のフィルタの中からフィルタを選択することが好ましい。
【手続補正４】
【補正対象書類名】明細書
【補正対象項目名】００１５
【補正方法】変更
【補正の内容】
【００１５】
本発明の第２の側面は、画像読取装置と画像処理装置とをネットワークを介して接続した画像処理システムに係り、前記画像読取装置は、画像を読み取る読取センサと、前記読取センサの周波数応答特性に関する特性データを格納するメモリと、前記メモリに格納されている特性データを前記画像処理装置に送信する第１の送信手段と、前記読取センサによって読み取られた画像を前記画像処理装置に送信する第２の送信手段とを備え、前記画像処理装置は、前記画像読取装置から送られてくる前記画像読取装置の読取センサの周波数応答特性に関する特性データに基づいて、前記画像読取装置から送られてくる画像を処理する際の処理方法を決定する決定手段と、前記決定手段により決定された処理方法を前記特性データの送信元の画像読取装置に対応付けて登録する登録手段と、前記画像読取装置から送られてくる画像を前記画像読取装置に対応付けて前記登録手段により登録された処理方法に従って処理する処理手段とを備えることを特徴とする。
【手続補正５】
【補正対象書類名】明細書
【補正対象項目名】００１７
【補正方法】変更
【補正の内容】
【００１７】
本発明の第４の側面は、ネットワークを介して画像読取装置と通信する通信手段を備え、前記画像読取装置と共に使用される画像処理装置を制御するソフトウェアを格納したコンピュータ読み取り可能なメモリ媒体に係り、該ソフトウェアは、画像読取装置から送られてくる該画像読取装置の読取センサの周波数応答特性に関する特性データに基づいて、該画像読取装置から送られてくる画像を処理する際の処理方法を決定する決定工程と、前記決定工程で決定された処理方法を前記特性データの送信元の画像読取装置に対応付けて登録する登録工程と、画像読取装置から送られてくる画像を該画像読取装置に対応付けて前記登録工程で登録された処理方法に従って処理する処理工程とを含むことを特徴とする。